【事件の表示】
　特願２０１２−１２７１１８「表示制御装置および表示制御方法」拒絶査定不服審判事件〔平成２５年１２月１２日出願公開、特開２０１３−２５０５１２、請求項の数（６）〕について、次のとおり審決する。
【結　論】
　原査定を取り消す。
　本願の発明は、特許すべきものとする。
【理　由】
第１　手続の経緯
　本願は、平成２４年６月４日の出願であって、平成２７年４月２８日付けで拒絶理由通知がされ、同年６月２６日付けで手続補正がされ、同年１１月５日付けで拒絶理由通知がされ、同年１２月２５日付けで手続補正がされ、平成２８年５月３０日付けで拒絶理由通知がされ、同年７月２８日付けで手続補正がされ、同年１２月１６日付けで拒絶査定がされ、これに対し、平成２９年２月２２日に拒絶査定不服審判の請求がされ、同時に手続補正がされたものである。
第２　原査定の概要
　原査定（平成２８年１２月１６日付け拒絶査定）の概要は、次のとおりである。
　本願請求項１−６に係る発明は、以下の引用文献１−３、５、６に基づいて、その発明の属する技術の分野における通常の知識を有する者（以下「当業者」という。）が容易に発明できたものであるから、特許法第２９条第２項の規定により、特許を受けることができない。
引用文献等一覧
　１.特開２０１０−２８３７７２号公報
　２.特開２００９−０６０３７３号公報
　３.特表平０６−５１０８６８号公報
　５.国際公開第２００７／０５２３８２号
　６.特開平１０−２８５５８７号公報
第３　本願発明
　本願請求項１−６に係る発明（以下、それぞれ「本願発明１」−「本願発明６」という。）は、平成２９年２月２２日付けの手続補正で補正された特許請求の範囲の請求項１−６に記載された事項により特定される発明であり、本願発明１は、以下のとおりの発明である。
　
「【請求項１】
　第１のプレーン上に画像を描画する第１の描画部と、前記第１のプレーン上の画像位置とは無関係に第２のプレーン上に画像を描画する第２の描画部とを備え、少なくとも前記第１のプレーンと前記第２のプレーンを重ね合わせた合成画像データを出力する表示制御装置において、
　前記第２のプレーンへの画像表示要求に応じて前記第２の描画部が描画した前記第２のプレーン上の画像表示領域を判別する判別部と、
　前記第２のプレーン上の前記画像表示領域に重ならないように、前記第１の描画部を制御して前記第１のプレーンの画像表示位置を変更する制御部とを備え、
　前記判別部は、前記第２のプレーンを分割するエリアを、前記第１のプレーンに描画される画像の表示領域のサイズに合わせて動的に変更し、当該エリアごとに分割した前記第２のプレーンを分割エリア単位で走査して前記画像表示領域を判別し、前記画像表示領域に該当しない分割エリアが発見された時点で、前記制御部に通知し、
　前記制御部は、前記第１のプレーン上の位置であって、前記判別部から通知された当該分割エリアに対応する位置が、前記第１のプレーンの画像表示位置となるように前記第１の描画部を制御し、
　前記第２のプレーンは、ＩＧ（Ｉｎｔｅｒａｃｔｉｖｅ　Ｇｒａｐｈｉｃ）プレーンであり、
　前記第１のプレーンは、前記ＩＧプレーン上に重ね合わせて合成されるユーザプレーンであり、
　前記第１の描画部は、前記ユーザプレーンに画像を描画し、
　前記第２の描画部は、ポップアップメニューの表示要求に応じて、前記ユーザプレーン上の画像位置とは無関係に前記ＩＧプレーンにポップアップメニュー画像を描画することを特徴とする表示制御装置。」
　本願発明２−５は、本願発明１を減縮した発明である。
　本願発明６は、本願発明１に対応する方法の発明をさらに減縮した発明である。
　
第４　引用文献、引用発明等
１　引用文献１について
　原査定の拒絶の理由に引用された引用文献１には、図とともに次の事項が記載されている（下線は、当審による。）。
　
　ア　「【０００１】
  この発明は、
簡易アプリケーションの表示やオンスクリーン表示などの映像表示制御を行う映像表示制御装置
【背景技術】
【０００２】
  ウィジェット（Widget）は、アプリケーションの一形態として２００５年末頃から注目を集めるようになっている。Widgetとは、パーソナルコンピュータなどのデスクトップ上で特定の機能を実行するための簡易的なアプリケーションの総称である。
Widgetは、グラフィカルユーザーインターフェース（ＧＵＩ）の要素が強い簡易なプログラムである
【０００３】
  近年のデジタル再生機器では、再生中の動画上にＧＵＩの画像をオンスクリーン表示（ＯＳＤ）したり、動画表示領域に別の画像情報（Widgetの画像情報など）を表示したりする機能が追加されている。このような機器においては、ＯＳＤ画像と同時に別画像情報を表示する際に、別画像情報がＯＳＤ画像に隠されて、別画像情報の内容が見づらくなることが起き得る。このような不便を解消する方法として、ＯＳＤ画像の表示位置を適宜シフトすることが考えられる（特許文献１参照）。」
　
　イ　「【００１１】
  以下、図面を参照してこの発明の種々な実施の形態を説明する。図１は、この発明の一実施の形態に係る
映像表示制御装置
　…。
【００１５】
  図２は、図１の装置１０におけるシステムモデルの一例を説明する図である。ビデオＣＤあるいはＤＶＤ（もしくはＢＤ）等の映像メディア１０６ａに記録された映像情報はMedia Player（図１のメディアドライブ部に対応）１０６により再生される。Memory Card（ギガバイトクラスの大容量フラッシュメモリ）１０６ｂに記録された映像情報もMedia Player１０６により再生される。
【００１６】
  Media Player１０６により再生された映像情報のうち、ビデオ情報部分（例えばＭＰＥＧ２−ＰＳ、ＭＰＥＧ２−ＴＳ、またはＭＰＥＧ４−ＡＶＣでエンコードされたデータストリーム）は、Video Decoder１００７ａによりデコードされ、
背景画像１００７ｃとしてビデオ表示プレーンに描画される
【００１７】
  一方、インターネットなどのネットワーク１１８経由で取得したWidget Contents１００１ａは、Widget Engine１００４ａにより処理されWidget Renderer１００４ｂにより画像化される。画像化された
Widget画像１００４ｃは、ビデオ表示プレーンまたは字幕表示プレーンより上のWidget画像表示プレーンに描画される
【００１８】
  また、装置１０に固有のオンスクリーン表示はOSD Engine１００２ａにより処理され、OSD Renderer１００２ｂにより画像化される。画像化された
ＯＳＤ画像１００２ｃ〜１００２ｅは、Widget画像表示プレーンより上のＯＳＤ画像表示プレーンに描画される
【００１９】
  
背景画像１００７ｃのビデオ表示プレーンと字幕１００７ｄの字幕表示プレーンとWidget画像１００４ｃのWidget画像表示プレーンとＯＳＤ画像１００２ｃ〜１００２ｅのＯＳＤ画像表示プレーンはBlender１００８において合成され、背景画像上にWidget画像とＯＳＤ画像が配置された合成画像が主画面（画像表示スクリーン４００など）に出画する
【００２０】
  Blender１００８内の合成処理では、Widget画像表示プレーンにおいてWidget画像が存在しないエリアの画素は透明となっており、透明な画素を通してその下の背景画像や字幕が見えるようになっている。同様に、ＯＳＤ画像表示プレーンにおいてＯＳＤ画像が存在しないエリアの画素は透明となっており、透明な画素を通してその下の背景画像、字幕、Widget画像などが見えるようになっている。この例では、一番上の表示プレーンはＯＳＤで、一番下の表示プレーンはビデオとなっている。
【００２１】
  なお、Widget画像の画素および／またはＯＳＤ画像の画素は、通常は不透明画素（その下の表示プレーンの画素が見えない）であることが多いが、半透明画素（その下の表示プレーンの画素がうっすらと見える）でもよい。あるいは、Widget画像を構成する画素群および／またはＯＳＤ画像を構成する画素群の中に、透明あるいは半透明の画素が部分的に含まれていてもよい。」
　
　ウ　「【００２４】
  図５は、図１の装置１０におけるＯＳＤとWidgetの表示例（この発明を用る場合）を説明する図である。表示スクリーン（主画面）４００での表示が背景画像とＯＳＤ画像１００２ｃ〜１００２ｅだけの場合（図５（ａ））は、この発明を実施しなくても問題はない。しかし、Widget画像１００４ｃと被る位置でＯＳＤ表示が行われると、Widget画像に対するＯＳＤ画像の重なりによってWidget部分の視認性が悪くなるという問題が生じる。この問題は、この発明を実施することで解決できる。」
　エ　「【００２８】
  図６は、図１の装置１０における表示制御の一例を説明するフローチャートである。この制御により、図５（ｂ）〜（ｅ）に例示されるような表示制御を行うことができる。なお、背景画像とWidget画像とＯＳＤ画像の表示順序は特に限定されないが、ここでは、初めに背景画像が表示され、次にWidget画像が表示され、そのあとにＯＳＤ画像が表示される場合を例にとって説明する。
【００２９】
  まず、図１のメディアドライブ１０６に例えばＤＶＤディスクが装填され、そのディスクからビデオ再生が始まったとする。再生されたビデオ映像は、表示部１１４の表示スクリーン（図示せず）および／または
映像表示装置４０の表示スクリーン４００に、背景画像として表示される
Widget画像が取り込まれ、その画像が表示スクリーン４００に表示される
【００３０】
  その後、
ユーザのリモコン操作などによりＯＳＤ表示が要求されると（ＳＴ１４yes）、その時点でのWidgetの表示状態（図３参照）が取得される
【００３１】
  取得したWidgetの表示状態がFull modeでないときは（ＳＴ１８no）、
表示しようとしているＯＳＤ画像の表示位置が表示しているWidget画像の表示位置と被るか（ＯＳＤ画像の少なくとも一部がWidget画像重なるか）をチェックする
【００３２】
  
表示しようとしているＯＳＤ画像の表示位置が表示しているWidget画像の表示位置と被る（少なくとも部分的に重なる）場合は（ＳＴ２０yes）、Widget画像表示プレーンのうち、透明な画素群の領域を空き領域として検出する
【００３３】
  
空き領域が検出されたら、その空き領域の画素位置にＯＳＤ画像が移動する（感覚的にはＯＳＤ画像がWidget画像を避けて空き領域に逃げ込む）ように、ＯＳＤの表示位置を制御する
　オ　「【００４４】
  
図１０は、図６の表示制御における空き領域関連処理（ＳＴ２２〜ＳＴ２４）の具体例を説明するフローチャート
Widget画像表示プレーンにおける空き領域を検索する
検索された空き領域（例えば図９の透明画素領域Ａ、Ｂ、Ｃ、Ｄ）のうち、どれか（例えば一番広い透明画素領域Ｃ）に、表示しようとしているＯＳＤ画像が収まるかどうかチェックする
収まるときは（ＳＴ２２ｂyes）、ＯＳＤ画像の表示位置を調整して、検出された空き領域の１つ（例えば図９の領域Ｃ）に対応する位置に移動させる
　したがって、引用文献１には、次の発明（以下「引用発明」という。）が記載されていると認められる。
「背景画像がビデオ表示プレーンに描画され（段落【００１６】より）、Widget画像は、ビデオ表示プレーンより上のWidget画像表示プレーンに描画され（段落【００１７】より）、ＯＳＤ画像は、Widget画像表示プレーンより上のＯＳＤ画像表示プレーンに描画され（段落【００１８】より）、背景画像のビデオ表示プレーンとWidget画像のWidget画像表示プレーンとＯＳＤ画像のＯＳＤ画像表示プレーンは合成され、背景画像上にWidget画像とＯＳＤ画像が配置された合成画像が表示スクリーンに出画する（段落【００１９】より）映像表示制御装置（段落【０００１】より）であって、
　表示スクリーンに背景画像が表示され、Widget画像が表示スクリーンに表示され（段落【００２９】より）、ユーザのリモコン操作などによりＯＳＤ表示が要求されると、その時点でのWidgetの表示状態が取得され（段落【００３０】より）、表示しようとしているＯＳＤ画像の表示位置が表示しているWidget画像の表示位置と被るかをチェックし（段落【００３１】より）、
　表示しようとしているＯＳＤ画像の表示位置が表示しているWidget画像の表示位置と被る場合は、Widget画像表示プレーンのうち、透明な画素群の領域を空き領域として検出し（段落【００３２】より）、
　空き領域が検出されたら、その空き領域の画素位置にＯＳＤ画像が移動するように、ＯＳＤの表示位置を制御する（段落【００３３】より）、
映像表示制御装置（段落【０００１】より）。」
２　引用文献２について
　原査定の拒絶の理由に引用された上記引用文献２は、本願発明２に対するものであって、引用文献２には、新しく描画を始める前に現在描画されているビットマップ画像を消去する処理を行うことが記載されている（段落【００３０】−【００３２】）。
３　引用文献３について
　原査定の拒絶の理由に引用された上記引用文献３は、本願発明３に対するものであって、引用文献３には、オフセット座標を調節することにより、オーバーレイ表示を制御することが記載されている（第７頁左上欄２１−２６行目）。
４　引用文献５について
　原査定の拒絶の理由に引用された上記引用文献５は、本願発明５に対するものであって、引用文献５には、重なって表示されるオブジェクトについては、半透明化して表示することが記載されている（段落［００４０］、図４）。
５　引用文献６について
　原査定の拒絶の理由に引用された上記引用文献６には、次の事項が記載されている（下線は、当審による。）。
　ア　「【００１２】（１）一つの表示画面に、第１の画像と第２の画像とをマルチウインドウ表示する
マルチウインドウ画像表示方式において、
第１の画像中のぼけ領域に
第２の画像を重ねて表示する
【００１３】一般に患部等を撮像した場合、その静止画像は重要部分には焦点が合って高精細の画像となるが、その他の部位では焦点が外れて画像にぼけが生じる傾向がある。したがって、上記したように第１の画像中からぼけ領域を検出してこの領域に第２の画像を表示すれば、第１の画像の重要部分を常に避けた状態で第２の画像を表示することができる。」
　イ　「【００１９】（６）前記検出手段は、
第１の画像を大きさの等しい複数の単位領域に分け、これらの単位領域ごとに精細度の判定を行ってその判定結果からぼけ領域を検出する
【００２０】（７）前記検出手段は、
前記単位領域の大きさおよび形状をを、第２の画像の大きさおよび第１の画像中の重要部分の大きさに応じて動的に可変設定する
　したがって、引用文献６には、「第１の画像中のぼけ領域に第２の画像を重ねて表示するマルチウインドウ画像表示方式において、第１の画像を大きさの等しい複数の単位領域に分け、これらの単位領域ごとに精細度の判定を行ってその判定結果からぼけ領域を検出すること、及び、その単位領域の大きさおよび形状を、第２の画像の大きさおよび第１の画像中の重要部分の大きさに応じて動的に可変設定すること」が記載されていると認められる。
第５　対比・判断
１　本願発明１について
（１）対比
　本願発明１と引用発明を対比すると、次のことがいえる。
　ア　引用発明の「ＯＳＤ画像表示プレーン」が本願発明１の「第１のプレーン」に相当するところであり、引用発明において「（ＯＳＤ画像が）ＯＳＤ画像表示プレーンに描画され」るから、引用発明の「映像表示制御装置」は、本願発明１の「表示制御装置」と同様に「第１のプレーン上に画像を描画する第１の描画部」を備えるものといえる。
　イ　引用発明の「Widget画像表示プレーン」が本願発明１の「第２のプレーン」に相当するところであり、引用発明において、「Widget画像」は、「Widget画像表示プレーンに描画され」るから、引用発明の「映像表示制御装置」は、本願発明１の「表示制御装置」における「前記第１のプレーン上の画像位置とは無関係に第２のプレーン上に画像を描画する第２の描画部」とは、「第２のプレーン上に画像を描画する第２の描画部」を備える点で共通する。
　ウ　引用発明において「背景画像のビデオ表示プレーンとWidget画像のWidget画像表示プレーンとＯＳＤ画像のＯＳＤ画像表示プレーンは合成され、背景画像上にWidget画像とＯＳＤ画像が配置された合成画像が表示スクリーンに出画する」から、引用発明の「映像表示制御装置」は、本願発明１の「表示制御装置」と同様に「少なくとも前記第１のプレーンと前記第２のプレーンを重ね合わせた合成画像データを出力する」ものといえる。
　エ　引用発明は、「表示しようとしているＯＳＤ画像の表示位置が表示しているWidget画像の表示位置と被るかをチェック」するものであるから、引用発明の「映像表示制御装置」は、「Widget画像表示プレーンに描画され」た「Widget画像」の表示領域を判別しているものと認められ、本願発明１の「表示制御装置」と同様に「前記第２のプレーンへの画像表示要求に応じて前記第２の描画部が描画した前記第２のプレーン上の画像表示領域を判別する判別部」を備えるものと認められる。
　オ　引用発明は、「表示しようとしているＯＳＤ画像の表示位置が表示しているWidget画像の表示位置と被る場合は、Widget画像表示プレーンのうち、透明な画素群の領域を空き領域として検出し、その空き領域の画素位置にＯＳＤ画像が移動するように、ＯＳＤの表示位置を制御する」ものであるから、引用発明の「映像表示制御装置」は、本願発明１の「表示制御装置」と同様に「前記第２のプレーン上の前記画像表示領域に重ならないように、前記第１の描画部を制御して前記第１のプレーンの画像表示位置を変更する制御部」を備えるものと認められる。
　カ　引用文献１の【０００２】には、「Widgetは、グラフィカルユーザーインターフェース（ＧＵＩ）の要素が強い簡易なプログラムである。」と記載されているから、引用発明の「（Widget画像が描画される）Widget画像表示プレーン」は、本願発明１の「第２のプレーン」と同様に「ＩＧ（Ｉｎｔｅｒａｃｔｉｖｅ　Ｇｒａｐｈｉｃ）プレーン」といえる。
　キ　引用発明において、「ＯＳＤ画像は、Widget画像表示プレーンより上のＯＳＤ画像表示プレーンに描画され、」「Widget画像のWidget画像表示プレーンとＯＳＤ画像のＯＳＤ画像表示プレーンは合成され」るから、引用発明の「ＯＳＤ画像表示プレーン」は、「Widget画像表示プレーン」上に重ね合わせて合成されるものと認められ、また、「ＯＳＤ画像」の表示は、「ユーザのリモコン操作など」により要求されるものであるから、引用発明の「ＯＳＤ画像表示プレーン」は、本願発明１の「第１のプレーン」と同様に「前記ＩＧプレーン上に重ね合わせて合成されるユーザプレーン」といえる。
　ク　引用発明は、上記アで指摘したとおり、引用発明の「ＯＳＤ画像表示プレーン」に「ＯＳＤ画像」を描画するから、本願発明と同様に「前記第１の描画部は、前記ユーザプレーンに画像を描画」するものといえる。
　
　したがって、本願発明１と引用発明との間には、次の一致点、相違点があるといえる。
（一致点）
「第１のプレーン上に画像を描画する第１の描画部と、第２のプレーン上に画像を描画する第２の描画部とを備え、少なくとも前記第１のプレーンと前記第２のプレーンを重ね合わせた合成画像データを出力する表示制御装置において、
　前記第２のプレーンへの画像表示要求に応じて前記第２の描画部が描画した前記第２のプレーン上の画像表示領域を判別する判別部と、
　前記第２のプレーン上の前記画像表示領域に重ならないように、前記第１の描画部を制御して前記第１のプレーンの画像表示位置を変更する制御部とを備え、
　前記第２のプレーンは、ＩＧ（Ｉｎｔｅｒａｃｔｉｖｅ　Ｇｒａｐｈｉｃ）プレーンであり、
　前記第１のプレーンは、前記ＩＧプレーン上に重ね合わせて合成されるユーザプレーンであり、
　前記第１の描画部は、前記ユーザプレーンに画像を描画する表示制御装置。」
（相違点）
（相違点１）本願発明１は、「前記判別部は、前記第２のプレーンを分割するエリアを、前記第１のプレーンに描画される画像の表示領域のサイズに合わせて動的に変更し、当該エリアごとに分割した前記第２のプレーンを分割エリア単位で走査して前記画像表示領域を判別し、前記画像表示領域に該当しない分割エリアが発見された時点で、前記制御部に通知し、
　前記制御部は、前記第１のプレーン上の位置であって、前記判別部から通知された当該分割エリアに対応する位置が、前記第１のプレーンの画像表示位置となるように前記第１の描画部を制御し、」というものであるのに対し、引用発明がこのようなものであるか不明な点。
（相違点２）本願発明１は、「前記第２の描画部は、ポップアップメニューの表示要求に応じて、前記ユーザプレーン上の画像位置とは無関係に前記ＩＧプレーンにポップアップメニュー画像を描画する」ものであるのに対し、引用発明の「Widget画像」がこのような「ポップアップメニュー画像」であるか不明な点。
（相違点３）本願発明１における第２の描画部は、「前記第１のプレーン上の画像位置とは無関係」に第２のプレーン上に画像を描画する描画しているのに対し、引用発明における映像表示制御装置は、「ＯＳＤ画像表示プレーン」における「ＯＳＤ画像」の位置とは無関係に、Widget画像表示プレーンにWidget画像を描画しているか、明らかでない点。
（２）相違点についての判断
　事例に鑑み、上記相違点１について検討すると、引用文献１には、段落【００４４】に具体例として、Widget画像表示プレーンにおける空き領域を検索し、検索された空き領域のうち、どれかに、表示しようとしているＯＳＤ画像が収まるかどうかチェックし、収まるときは、ＯＳＤ画像の表示位置を調整して、検出された空き領域の１つに対応する位置に移動させることが記載されており、この「Widget画像表示プレーンにおける空き領域」は、本願発明１の「第２のプレーンにおける画像表示領域に該当しないエリア」に相当すると認められるが、本願発明１のごとく、「（第１のプレーンに描画される画像の表示領域のサイズに合わせて動的に変更された）第２のプレーンを分割するエリア」に相当するものではない。
　また、引用文献１の段落【００４４】の「検索された空き領域（例えば図９の透明画素領域Ａ、Ｂ、Ｃ、Ｄ）のうち、どれか（例えば一番広い透明画素領域Ｃ）に、表示しようとしているＯＳＤ画像が収まるかどうかチェックする」との記載は、検索された空き領域のうち、どれかに、表示しようとしているＯＳＤ画像が収まるかどうかチェックすることを説明しているにとどまり、本願発明１のごとく「当該エリアごとに分割した前記第２のプレーンを分割エリア単位で走査して前記画像表示領域を判別し、前記画像表示領域に該当しない分割エリアが発見された時点で、前記制御部に通知」することを記載ないし示唆するものとはいえない。
　引用文献６には、「第１の画像中のぼけ領域に第２の画像を重ねて表示するマルチウインドウ画像表示方式において、第１の画像を大きさの等しい複数の単位領域に分け、これらの単位領域ごとに精細度の判定を行ってその判定結果からぼけ領域を検出すること、及び、その単位領域の大きさおよび形状を、第２の画像の大きさおよび第１の画像中の重要部分の大きさに応じて動的に可変設定すること」が記載されているが、第１の画像を第２の画像の大きさに応じて設定した大きさの等しい複数の単位領域に分け、当該単位領域を走査してぼけ領域であるかを判別し、
当該単位領域がぼけ領域と判定された時点で
「空き領域」と判別された分割エリアが発見された時点で、
　よって、上記相違点１に係る本願発明１の構成は、当業者といえども、引用発明及び引用文献６に記載された技術から容易に想到し得たこととはいえない。
　また、引用文献２、３、５の記載内容は、前記　第４　２−４のとおりであって、上記相違点１に係る事項を示唆するものではない。
　したがって、上記相違点２について判断するまでもなく、本願発明１は、引用文献１−３、５、６に基づいて当業者が容易に発明できたものとはいえない。
２　本願発明２−５について
　本願発明２−５は、本願発明１を減縮した発明であり、本願発明１の発明特定事項を全て含むものであるから、本願発明１と同じ理由により、当業者であっても、引用文献１−３、５、６に基づいて容易に発明できたものとはいえない。
 ３　本願発明６について
　本願発明６は、本願発明１に対応する方法の発明をさらに減縮した発明であり、実質的に本願発明１の発明特定事項を全て含むものであるから、本願発明１と同様の理由により、当業者であっても、引用文献１−３、５、６に基づいて容易に発明できたものとはいえない。。
第６　むすび
　以上のとおり、本願発明１−６は、当業者が引用文献１−３、５、６に基づいて容易に発明できたものではない。したがって、原査定の理由によっては、本願を拒絶することはできない。
　また、他に本願を拒絶すべき理由を発見しない。
　よって、結論のとおり審決する。